(57)【特許請求の範囲】
【請求項１】
上端に道糸が止着される主杆と、前記主杆の下端から前記主杆の軸に交差する方向へ延設され、延出端に仕掛けが止着される枝杆と、前記主杆が挿通される挿通孔を有し、前記主杆により挿通支持される姿勢変更部材と、を備え、
前記姿勢変更部材は、前記主杆の軸方向に長尺とされた浮力体と、前記浮力体の軸方向端部に設けられた錘体と、を有しており、軸方向の向きを変えて前記主杆により挿通支持可能であることを特徴とする釣り用天秤。
【請求項２】
前記姿勢変更部材は、前記主杆に移動可能に支持されており、
前記枝杆は、前記主杆と別部材で構成され、前記主杆が挿通されるリング状の連結部を介して前記主杆に連結されており、
前記枝杆は、
前記姿勢変更部材を前記枝杆側へ移動させて前記連結部に当接させることによって、前記主杆の軸に交差する方向へ位置決めされて延出保持されるとともに、
前記姿勢変更部材を前記枝杆側と反対側へ移動させて前記連結部への当接を解除することにより、前記主杆と略平行に折り畳まれることを特徴とする請求項１に記載の釣り用天秤。
【請求項３】
前記主杆の全長をＬ１とし、前記姿勢変更部材および前記枝杆の長さを加えた全長をＬ２としたときに、これらの関係が、
Ｌ１  ≧  Ｌ２
であることを特徴とする請求項２に記載の釣り用天秤。
【発明の詳細な説明】
【技術分野】
【０００１】
本発明は、釣り用天秤に関する。
【背景技術】
【０００２】
従来、釣り用天秤として特許文献１に記載されたものが知られている。この釣り用天秤は、メインワイヤと、サブワイヤと、錘とから構成されている。メインワイヤには道糸が止着され、また、サブワイヤには、仕掛けが止着される。
このような釣り用天秤を用いた投げ釣り等の釣りでは、錘の重量を利用して仕掛けを遠投することができる。
【０００３】
ところで、ルアー（疑似餌）を用いたルアーフィッシングでは、釣針と錘とが組み合わされたメタルジグやジグヘッドに軟質合成樹脂により形成したソフトルアーを装着する釣法が知られている。また、ルアーフィッシングにおいて、道糸とメタルジグ等との間に前記した釣り用天秤を介在させ、釣り用天秤の遠投性を利用してメタルジグ等を遠くに飛ばすことも行われている。
【先行技術文献】
【特許文献】
【０００４】
【特許文献１】特開２００９−１７８１３８号公報
【発明の概要】
【発明が解決しようとする課題】
【０００５】
前記特許文献１の釣り用天秤は、メインワイヤの下端部に錘がぶら下がる構成であるたため、水中では錘が下側に位置しメインワイヤが上側（道糸側）に立ち上がる姿勢となる。これにより、釣竿を煽る等して釣り用天秤を浮上させると、釣り用天秤は錘を下方へ向けたままの姿勢で上昇することとなる。この姿勢は、急な駆け上がり等を避けて根掛かりを回避することに都合がよい。
【０００６】
しかしながら、特許文献１の釣り用天秤は、通常、前記したように錘が下側に位置しメインワイヤが上側（道糸側）に立ち上がる姿勢となることがほとんどであるため、前記したルアーフィッシングにおいて、釣人の意図するソフトルアー等の泳がせ方を実現することが難しく、底物の魚を狙った釣りができなかった。
【０００７】
本発明は、前記問題を解決するためになされたものであり、急な駆け上がり等を好適に避けることができるとともに、底物の魚を狙った釣りに好適な釣り用天秤を提供することを課題とする。
【課題を解決するための手段】
【０００８】
このような課題を解決する本発明の釣り用天秤は、上端に道糸が止着される主杆と、前記主杆の下端から前記主杆の軸に交差する方向へ延設され、延出端に仕掛けが止着される枝杆と、前記主杆が挿通される挿通孔を有し、前記主杆により挿通支持される姿勢変更部材と、を備え、前記姿勢変更部材は、前記主杆の軸方向に長尺とされた浮力体と、前記浮力体の軸方向端部に設けられた錘体と、を有しており、軸方向の向きを変えて前記主杆により挿通支持可能であることを特徴とする。
【０００９】
この釣り用天秤によれば、姿勢変更部材が軸方向の向きを変えて主杆により挿通支持可能であるので、例えば、錘体が枝杆側（主杆の下側）となるように（浮力体が枝杆側と反対側（主杆の上側）となるように）姿勢変更部材を主杆により挿通支持することで、主杆の下側に重心が位置する釣り用天秤とすることができる。この釣り用天秤では、錘体側となる主杆の下側が水中の底側へ向き、浮力体側となる主杆の上側が水面側へ向いた姿勢となる。
また、錘体が枝杆側と反対側（主杆の上側）となるように（浮力体が枝杆側（主杆の下側）となるように）姿勢変更部材を主杆により挿通支持することで、主杆の上側に重心が位置する釣り用天秤とすることができる。この釣り用天秤では、水中において着底後、釣竿を煽る等して釣り用天秤を浮上させ、その後沈下させたり沈下させつつリトリーブしたりする操作を行うと、錘体側となる主杆の上側が浮力体側となる主杆の下側に比べて先に沈下し、水中において主杆が横方向へ向いた姿勢となる。
【００１０】
また、本発明は、前記姿勢変更部材は、前記主杆に移動可能に支持されており、前記枝杆は、前記主杆と別部材で構成され、前記主杆が挿通されるリング状の連結部を介して前記主杆に連結されており、前記枝杆は、前記姿勢変更部材を前記枝杆側へ移動させて前記連結部に当接させることによって、前記主杆の軸に交差する方向へ位置決めされて延出保持されるとともに、前記姿勢変更部材を前記枝杆側と反対側へ移動させて前記連結部への当接を解除することにより、前記主杆と略平行に折り畳まれることを特徴とする。
【００１１】
この釣り用天秤によれば、使用時に姿勢変更部材を枝杆側へ移動させて連結部に当接させることで、主杆の軸に交差する方向へ枝杆が延出する状態に位置決めされ、枝杆を延出保持することができる。また、不使用時に姿勢変更部材を枝杆側と反対側へ移動させて連結部への当接を解除することで、主杆と略平行に枝杆を折り畳むことができる。
【００１２】
前記主杆の全長をＬ１とし、前記姿勢変更部材および前記枝杆の長さを加えた全長をＬ２としたときに、これらの関係が、Ｌ１≧Ｌ２であることを特徴とする。
【００１３】
この釣り用天秤によれば、不使用時に姿勢変更部材を枝杆側と反対側へ移動させ、枝杆を折り畳むとともに連結部を姿勢変更部材側へ移動させることにより、主杆の端部から枝杆が突出しないように主杆に枝杆を沿わせることができる。
【発明の効果】
【００１４】
本発明によれば、姿勢変更部材の軸方向の向きを変えて主杆により挿通支持することによって、重心を主杆の下側または上側とすることができる。そして、主杆の下側に重心が位置するように姿勢変更部材を支持することで、錘体のある主杆の下側が水中の底側へ向き、浮力体のある主杆の上側が水面側へ向いた姿勢とすることができる。したがって、釣竿を煽る等して釣り用天秤を浮上させる操作を行うことにより、急な駆け上がり等を避けて根掛かりを好適に回避することが可能となる。
【００１５】
また、主杆の上側に重心が位置するように姿勢変更部材を支持することで、錘体のある主杆の上側が浮力体のある主杆の下側に比べて先に沈下し、水中において主杆が横方向へ向いた姿勢となるので、道糸とメタルジグ等との間に釣り用天秤を介在させたルアーフィッシング等において、主杆が横向きとなる分、ソフトルアー等の泳がせ方にバリエーションをもたせることができる。これにより釣人の意図するソフトルアー等の泳がせ方を実現することが可能となり、底物の魚を狙った釣りを好適に行うことができる。
【００１６】
また、姿勢変更部材が主杆に移動可能に支持され、連結部を介して枝杆が主杆に連結された構成では、使用時に主杆の軸に交差する所定角度で枝杆を保持することができる。したがって、仕掛けが絡まる等の不具合を解消することができる。
また、不使用時には、主杆と略平行に枝杆を折り畳むことができるので、持ち運びに便利であり、コンパクトに収納することができる。
【００１７】
また、主杆の全長をＬ１とし、姿勢変更部材および枝杆の長さを加えた全長をＬ２としたときに、これらの関係が、Ｌ１≧Ｌ２である構成では、錘体が主杆に挿通支持された構成でありながら、主杆の端部から枝杆が突出しないように主杆に枝杆を略平行に沿わせるようにして折り畳むことができるので、持ち運びに便利であり、より一層コンパクトに収納することができる。
【図面の簡単な説明】
【００１８】
【図１】本発明の第１実施形態に係る釣り用天秤を示す図であり、（ａ）は錘体を下側にして主杆により姿勢変更部材を挿通支持した例を示す斜視図、（ｂ）は錘体を上側にして主杆により姿勢変更部材を挿通支持した例を示す斜視図である。
【図２】（ａ）は姿勢変更部材を断面で示した分解図、（ｂ）は姿勢変更部材を分解した斜視図である。
【図３】（ａ）〜（ｃ）は、錘体を下側にして主杆により姿勢変更部材を挿通支持した場合の作用を示す説明図、（ｄ）〜（ｆ）は、錘体を上側にして主杆により姿勢変更部材を挿通支持した場合の作用を示す説明図である。
【図４】（ａ）（ｂ）は水中において駆け上がりを回避する際の作用を示す説明図である。
【図５】（ａ）〜（ｃ）はルアーアクションを示す説明図である。
【図６】（ａ）〜（ｄ）はルアーアクションを示す説明図である。
【図７】本発明の第２実施形態に係る釣り用天秤を示す図であり、（ａ）は主杆の上側に姿勢変更部材を移動させた状態を示す斜視図、（ｂ）は主杆の下側に姿勢変更部材を移動させた状態を示す斜視図、（ｃ）は枝杆を折り畳んだ状態を示す斜視図である。
【図８】釣り用天秤の作用を示す斜視図である。
【発明を実施するための形態】
【００１９】
以下、本発明に係る釣り用天秤の実施形態について図面を参照しながら説明する。なお、説明において、同一の要素には同一の符号を用い、重複する説明は省略する。また、「上、下」をいうときは、図１（ａ）（ｂ）に示した方向を基準とする。
【００２０】
（第１実施形態）
図１（ａ）に示すように、本実施形態の釣り用天秤は、主杆１と、枝杆２と、姿勢変更部材３と、を備えて構成されており、道糸Ｌｍと仕掛けの糸Ｌｓ（図３（ａ）参照）とを接続するものである。主杆１と枝杆２とは、１本の線材を折曲部１ｅにて略Ｌ字形状に折り曲げ成形することで形成されている。
【００２１】
主杆１は、姿勢変更部材３が挿通支持される部分であり、姿勢変更部材３よりも長い全長を有している。なお、主杆１は、姿勢変更部材３を支持できる長さを有していればよく、姿勢変更部材３と同等の長さを有するように形成してもよい。
主杆１の上端には接続部１ｃが形成されている。本実施形態では、接続部１ｃの大きさが姿勢変更部材３の主杆１に対する取り付け取り外しの妨げとならないように、幅狭に形成されている。具体的には、姿勢変更部材３に設けられた貫通孔３２ｃ（図２（ａ）（ｂ）参照）の内径よりも小さい寸法に形成されている。
【００２２】
接続部１ｃには、道糸Ｌｍ（図３（ａ）参照、以下同じ）を直接止着してもよいし、図１（ａ）（ｂ）に示すようにスナップ１ｆを係止して、このスナップ１ｆに道糸Ｌｍを止着してもよい。なお、スナップ１ｆは、姿勢変更部材３の貫通孔３２ｃ（図２（ａ）（ｂ）参照）の内径よりも大きい外形寸法を有している。したがって、接続部１ｃにスナップ１ｆを係止することにより、スナップ１ｆは、姿勢変更部材３の抜け止め部材として機能するようになっている。
なお、スナップ１ｆに代えて、主杆１の上端に雄ねじ部を設け、この雄ねじ部に螺合する雌ねじ部材を螺着するようにして、姿勢変更部材３を抜け止めするように構成してもよい。
【００２３】
枝杆２は、主杆１の下端から主杆１の軸に交差する方向（本実施形態では略直交する方向）へ延設されている。枝杆２の延出端２ａはリング状を呈しており、延出端２ａには仕掛けの糸Ｌｓ（図３（ａ）参照）が止着される。
【００２４】
姿勢変更部材３は、両端部分（主杆１の軸線方向となる上下方向の両端部分）が略流線形状を呈しており、主杆１の軸方向に長尺とされた浮力体３１と、浮力体３１の軸方向端部に設けられた錘体３２と、を備えて構成されている。浮力体３１は、例えば、合成樹脂（ポリエチレン、ポリプロピレン等）、独立発泡材、発泡スチロール、ウレタンスポンジ、木材等によって形成されたものであり、所定の浮力を主杆１に対して与えることができるものである。
浮力体３１は、図２（ｂ）に示すように、円筒状とされており、錘体３２に設けられた円筒支持部３２ｂに内周部３１ａを装着することにより、円筒支持部３２ｂに支持されるようになっている。別言すれば、浮力体３１の内周部３１ａに円筒支持部３２ｂを挿入することにより、浮力体３１に錘体３２が装着されるようになっている。
なお、浮力体３１がもたらす浮力は任意であり、複数種類用意されることが好ましい。
【００２５】
錘体３２には、円筒支持部３２ｂが一体的に設けられている。円筒支持部３２ｂは、錘体３２の上面３２ａから主杆１の軸方向に沿うように立設されており、その内空が、姿勢変更部材３の貫通孔３２ｃとして機能する。貫通孔３２ｃは主杆１の軸方向に沿って錘体３２を上下方向に貫通している。
なお、錘体３２の重量は任意であり、複数種類用意されることが好ましい。重量の異なる錘体３２に付け替えることにより、例えば、キャスティング時の飛距離を稼いだり、沈下速度を調整したりすることができる。
【００２６】
このような浮力体３１と錘体３２とを有する姿勢変更部材３は、浮力体３１と錘体３２との向きを変えて主杆１に通す（支持する）ことができる。すなわち、図１（ａ）、図２（ａ）に示すように、錘体３２が枝杆２側（主杆１の下側１ｂ）となるように（浮力体３１が枝杆２側と反対側（主杆１の上側１ａ）となるように）支持することにより、主杆１の下側１ｂに重心（不図示）が位置する釣り用天秤とすることができる。
【００２７】
また、図１（ｂ）に示すように、錘体３２が枝杆２側と反対側（主杆１の上側１ａ）となるように（浮力体３１が枝杆２側（主杆１の下側１ｂ）となるように）支持することにより、主杆１の上側１ａに重心（不図示）が位置する釣り用天秤とすることができる。
【００２８】
次に、本実施形態の釣り用天秤の作用について説明する。
図３（ａ）に示すように、錘体３２が枝杆２側となる向きに姿勢変更部材３をセットした場合には、次のように作用する。
すなわち、水中において着底後、釣竿Ｒ（図４参照）を煽る等して釣り用天秤を浮上させると、図３（ｂ）（ｃ）に示すように、錘体３２が主杆１の下側１ｂにあり、また、浮力体３１が主杆１の上側１ａにあって重心（不図示）が主杆１の下側１ｂにあることから、釣り用天秤は、略直立した姿勢を保ちながら上昇する。
【００２９】
したがって、図４（ａ）に示すように、水中に存在する駆け上がりＫ１を避けるように釣り用天秤を浮上させることができ、根掛かりを好適に回避することが可能となる。
また、図４（ｂ）に示すように、釣竿Ｒをさらに強く煽りながら道糸Ｌｍを素早く巻き取る操作を行うことで、急な駆け上がりＫ２にも対処することができ、駆け上がりＫ２を避けるように釣り用天秤を浮上させることができる。これにより、根掛かりを好適に回避することが可能となる。
また、釣り用天秤の浮上性がよいので、水中の表層付近の魚を狙った釣りを好適に行うことも可能である。
【００３０】
一方、図３（ｄ）に示すように、浮力体３１が枝杆２側となる向きに姿勢変更部材３をセットした場合には、次のように作用する。
すなわち、水中において着底後、釣竿Ｒを煽る等して釣り用天秤を浮上させると、浮力体３１が主杆１の下側１ｂにあり、また、錘体３２が主杆１の上側１ａにあって重心（不図示）が主杆１の上側１ａにあることから、図３（ｅ）（ｆ）に示すように、進行方向における水の抵抗を受けつつ、釣り用天秤は、略横向きの姿勢となる。
このように、主杆１（釣り用天秤）が横向きとなる分、ソフトルアーＳ等の泳がせ方にバリエーションをもたせることができる。これにより釣人の意図するソフトルアーＳ等の泳がせ方を実現することが可能となり、底物の魚を狙った釣りを好適に行うことができる。
【００３１】
その１つとして例えば、釣り用天秤を用いて、釣り用天秤を水底Ｂにぶつけて跳ねさせながら引いてくるようなアクション（ボトムバンピング）を行うことも可能となる。
つまり、図５（ａ）に示すように、着底後、釣竿Ｒ（不図示、以下同じ）を煽る等して釣り用天秤を浮上させると、主杆１の上側１ａに重心（不図示）が位置するため、図５（ｂ）（ｃ）に示すように、釣り用天秤は、進行方向における水の抵抗を受けつつ、略横向きの姿勢に変化する。
【００３２】
ここで、釣竿Ｒの煽りを緩めると、図６（ａ）（ｂ）に順に示すように、錘体３２のある主杆１の上側１ａが浮力体３１のある主杆１の下側１ｂに比べて先に沈下し、主杆１が横向きの姿勢から進行方向前かがみの姿勢に変化する。
その後、釣り用天秤は、略そのままの前かがみの姿勢で沈下し、図６（ｃ）に示すように、略横向きの姿勢で水底Ｂに着底する。このとき、釣人は道糸Ｌｍを伝う振動等によって釣り用天秤の着底を認識することができる。
着底を認識したら、釣竿Ｒを煽る等して、図６（ｄ）に示すように、釣り用天秤を跳ね上げるように浮上させる。
以上のような操作を繰り返して行うことにより、ボトムバンピングを行うことができる。
【００３３】
ここで、前記したように、釣竿Ｒの煽りを緩めた際に、図６（ａ）（ｂ）に順に示すように、主杆１が横向きの姿勢から進行方向前かがみの姿勢に変化して沈下するので、枝杆２は、姿勢変更に伴って折曲部１ｅを中心に道糸Ｌｍ側（進行方向側）に回動することとなり、その結果、仕掛けの糸Ｌｓに対して、これを前方に引っ張る力が作用することとなる。
これにより、釣り用天秤の一連の姿勢変更を伴うルアーアクションの間、仕掛けの糸Ｌｓは、緩みにくく略張られた状態に維持されることとなり、この張られた仕掛けの糸Ｌｓに追従させて、ソフトルアーＳを好適に泳がせることができる。また、仕掛けの糸Ｌｓが張られた状態となるので、魚信をダイレクトにとることができる。
【００３４】
以上説明した本実施形態の釣り用天秤によれば、姿勢変更部材３の軸方向の向きを変えて主杆１により挿通支持することによって、重心を主杆１の下側１ｂまたは上側１ａとすることができる。そして、主杆１の下側１ｂに重心が位置するようにすることで、水中において主杆１の上側１ａが上方に立ち上がる姿勢とすることができ、急な駆け上がり等を避けて根掛かりを回避することが可能となる。
【００３５】
また、主杆１の上側１ａに重心が位置するようにすることで、水中において錘体３２のある主杆１の上側１ａが浮力体３１のある主杆１の下側１ｂに比べて先に沈下して主杆１が横向きの姿勢となるので、道糸ＬｍとメタルジグＪ等との間に釣り用天秤を介在させたルアーフィッシング等において、主杆１が横向きとなる分、ソフトルアーＳ等の泳がせ方にバリエーションをもたせることができる。これにより釣人の意図するソフトルアーＳ等の泳がせ方を実現することが可能となり、底物の魚を狙った釣りを好適に行うことができる。
【００３６】
（第２実施形態）
本実施形態が前記第１実施形態と異なるところは、姿勢変更部材３が、主杆１に移動可能に支持されており、枝杆２が、主杆１と別部材で構成され、リング状の連結部２ｂを介して主杆１に対して連結されている点である。
【００３７】
図７（ａ）に示すように、連結部２ｂは、枝杆２の基端部に設けられており、２つのビーズ４，４の間にて主杆１により挿通支持されている。連結部２ｂは、枝杆２の軸線に対して幾分折れ曲がっており、姿勢変更部材３が連結部２ｂと非当接状態にあるときに、枝杆２は、図７（ａ）に示すように、主杆１の下方に（主杆１の軸線の図示しない延長線に略平行となる状態に）垂れ下がるようになっている。
【００３８】
そして、図７（ｂ）に示すように、姿勢変更部材３を枝杆２側へ移動させて連結部２ｂに当接させることによって、枝杆２は、主杆１の軸に交差する方向へ位置決めされて延出保持されるようになっている。つまり、枝杆２は、姿勢変更部材３と主杆１の下端部１ｄとの間にビーズ４，４を介して挟持されることで、主杆１に対して所定の角度で延出するように保持される。
【００３９】
また、枝杆２は、連結部２ｂを介して、主杆１の上側１ａに移動可能であり、図７（ｃ）に示すように、姿勢変更部材３を主杆１の上側１ａに移動させた状態において、主杆１の側方に沿わせるようにして、主杆１と略平行に折り畳み可能となっている。
【００４０】
ここで、本実施形態では、図７（ｃ）に示すように、主杆１の全長をＬ１とし、姿勢変更部材３および枝杆２の長さを加えた全長をＬ２（姿勢変更部材３の長さＬ２１に、ビーズの長さＬ２２、枝杆２の長さＬ２３を加えた長さ）としたときに、これらの関係が、Ｌ１≧Ｌ２となるように設定されている。
【００４１】
本実施形態の釣り用天秤によれば、使用時には姿勢変更部材３を枝杆２側へ移動させて連結部２ｂに当接させる。これにより、主杆１の軸に交差する方向へ枝杆２が延出する状態に保持することができる。したがって、キャスト時等に仕掛けが絡まる等の不具合を解消することができる。
また、釣り用天秤の不使用時には、姿勢変更部材３を枝杆２側と反対側へ移動させて連結部２ｂへの当接を解除する。これによって、主杆１と略平行に枝杆２を折り畳むことができる。したがって、持ち運びに便利であり、コンパクトに収納することができる釣り用天秤が得られる。
【００４２】
また、主杆１の全長をＬ１とし、姿勢変更部材３および枝杆２の長さを加えた全長をＬ２としたときに、これらの関係が、Ｌ１≧Ｌ２であるので、錘体３２が主杆１に挿通支持された構成でありながら、主杆１の端部から枝杆２が突出しないように主杆１に枝杆２を略平行に沿わせるようにして折り畳むことができる。したがって、持ち運びに便利であり、より一層コンパクトに収納することができる釣り用天秤が得られる。
【００４３】
また、本実施形態の釣り用天秤によれば、枝杆２が、主杆１と別部材で構成され、リング状の連結部２ｂを介して主杆１に連結されているので、道糸とメタルジグ等との間に釣り用天秤を介在させたルアーフィッシング等において、図８に示すように、主杆１の接続部１ｃと枝杆２の延出端２ａとを支点として、連結部２ｂを側方に揺動させることができる。つまり、浮上時や沈下時に水流等により釣り用天秤に生じる振動を連結部２ｂによる揺動で吸収することができ、仕掛けの糸ＬｓやメタルジグＪ等に振動や意図しない外力が作用するのを防止することができる。これにより、より一層、釣人の意図するソフトルアーＳ等の泳がせ方を実現することが可能となり、底物の魚を狙った釣りを好適に行うことができる。
【００４４】
前記各実施形態においては、錘体３２の円筒支持部３２ｂに浮力体３１を装着して浮力体３１と錘体３２とを接続したが、これに限られることはなく、錘体３２の端部に接着剤等により浮力体３１を直接的に接続してもよい。
【００４５】
また、浮力体３１の端部に錘体３２を埋設してもよい。
また、彩色により錘体３２の位置を容易に目視確認できるように構成してもよい。
また、主杆１と枝杆２とで、線材の径を異ならせてもよい。
【符号の説明】
【００４６】
１      主杆
２      枝杆
２ａ    延出端
２ｂ    連結部
３      姿勢変更部材
３１    浮力体
３２    錘体
３２ｃ  貫通孔
Ｌ１    主杆の全長
Ｌ２    姿勢変更部材および枝杆の長さを加えた全長
【図１】
0005679960.tif 000002
【図２】
0005679960.tif 000003
【図３】
0005679960.tif 000004
【図４】
0005679960.tif 000005
【図５】
0005679960.tif 000006
【図６】
0005679960.tif 000007
【図７】
0005679960.tif 000008
【図８】
0005679960.tif 000009